(57)【特許請求の範囲】
【請求項１】
平面方形状の底板と、前記底板の側端縁に沿って折曲自在に連結された４つの側板とからなり、前記各側板はそれぞれ対向する側板を対にして内側に折り畳むことができ、対向する一対の側板には組み立てたときの係合状態を解除する上下動可能な操作レバーを取り付けてなる組立式合成樹脂製容器であって、
前記操作レバーは、操作部の両端部に係合部を設け、下面には側板に設けた横リブに載置され操作部を上方に付勢するバネを突設してなり、
前記横リブの上面には水平方向にガイド溝を設けてなり、
前記ガイド溝の上面は上方に開口しているとともに、ガイド溝の両端部が横リブの上面に位置するように形成されており、
前記バネの下端部が前記ガイド溝の長さ方向に摺動するように上方から差し込まれていることを特徴とする組立式合成樹脂製容器。
【請求項２】
ガイド溝は、横リブの上面外側にガイド板を垂直に突設し、前記ガイド板と側板外面との間に形成した隙間によって形成してなり、前記隙間の水平方向の両端部は横リブ上に開口していることを特徴とする請求項１に記載の組立式合成樹脂製容器。
【請求項３】
ガイド溝は、横リブの上面に形成した溝であり、前記溝の上方からバネの下端部を差し込むことを特徴とする請求項１に記載の組立式合成樹脂製容器。
【請求項４】
ガイド溝の底面は、水平面であることを特徴とする請求項１〜３のいずれか１項に記載の組立式合成樹脂製容器。
【請求項５】
ガイド溝の底面は、一部が傾斜面又は湾曲面であることを特徴とする請求項１〜３のいずれか１項に記載の組立式合成樹脂製容器。
【発明の詳細な説明】
【技術分野】
【０００１】
この発明は、底板に折曲部又は回動軸を介して側板が配設されており、折り畳み状態から簡単に組み立てられ、また簡単に折り畳むことができる組立自在箱に係り、詳しくは側板に設けた上下動可能な操作レバーにより組み立て状態を保持すると共に、操作レバーを押し下げることによって側板の係合状態を解除するように構成した操作レバーの側板への取付構造に関するものである。
【背景技術】
【０００２】
従来、野菜、果物等農産物や各種の工業製品を輸送するために組立式の合成樹脂製容器
が使用されている。合成樹脂製容器は、耐久性に優れており繰り返して使用することがで
きるとともに、近年提起されている省資源の点からもダンボール箱に代わって多用されて
いる。このような組立式容器として次のような容器がある。
【０００３】
特開２００４−７５０７９号公報に開示された容器は、各側壁の下端部には各側壁を容器本体の内方に折り畳むための回動手段を設けると共に、第一側壁を底壁の上面に折り畳んだ後に、第二側壁を第一側壁の上面に折り畳むことによって、容器本体を折り畳み可能に構成した折り畳み式運搬用容器であって、第一側壁の外側面には、略中央部に操作部及びスライド係合凸部を備えるとともに両端部に係合突起が設けられた係合部材を添設し、第二側壁の両端部には係合突起と係合して第一側壁の内方への回動を規制するための係合部を設け、係合部材の操作部を上動又は下動させることにより、係合突起と係合部との係合状態を解除するように構成してなる。
【０００４】
前記構成とすることによって、折り畳み作業をより一層容易に行うことができる。
【０００５】
また、特開２００６−９６４０１号公報に開示された容器は、各側板はそれぞれ対向する側板を対にして内側に折り畳むことができる組立式合成樹脂製容器であって、一対の側板の両端部に設けた操作レバーと、他方の一対の側板に設けた係合部によってロック部を形成してなり、前記操作レバーは三辺を切り抜いて一辺を側板と一体に設けたプレートの先端に、他方の一対の側板に装着されたロック解除部材の押圧用突部を受け入れる受け部と前記係合部と係合する係合片を有しており、ロック解除部材は、略中央部に指掛け用凹部を設け、両端部に係止用突起または係止部を形成するとともに、下面にバネを突設してなり、前記ロック解除部材を一対の側板の上部に上下動可能に組み立てたことを特徴とする。
【０００６】
上記構成とすることによって、ロック解除部材と側板とは機械によって自動的に組み立てることができ、組み立て工数と費用の削減を図ることができる。また、ロック解除部材の左右の係合部が均等にバランスよく上下動するので、容器としての組立作業と折り畳み作業が容易である。
【特許文献１】特開２００４−７５０７９号公報（請求項１）
【特許文献２】特開２００６−９６４０１号公報（請求項１)
【発明の開示】
【発明が解決しようとする課題】
【０００７】
特開２００４−７５０７９号公報に開示された容器では、係合部材を上方に付勢する付勢手段として左右一対の付勢板が突設されており、前記付勢板が側壁に設けられた横リブの上に載置されている。また、特開２００６−９６４０１号公報に開示された容器では、
ロック解除部材の下面に付勢力を与えるバネが設けられており、前記バネが側板に突設した横リブに載置されている。
【０００８】
図７は、特開２００４−７５０７９号公報に開示された容器のロック解除部材の要部を示す。即ち、ロック解除部材Ｒは、短辺側の側板Ａの上端部に取り付けられており、下面に突設したバネＢが横リブＣに載置されている。短辺側の側板の両端部には係合部Ｄが設けられており、前記係合部Ｄが長辺側の側板に設けられた突出部Ｅに係合することによってロック状態となり組立が保持される。
【０００９】
前記組立状態から突出部Ｅと係合部Ｄとのロック状態を解除するには、前記突出部ＥにはロックレバーＦが一体に形成されており、ロックレバーＦを押し下げると突出部Ｅも一体に押し下げられるから、突出部Ｅと係合部Ｄとの係合状態が解除されることになる。ロックレバーＦを押し下げるには、ロック解除部材Ｒの両端部に突設した係止用突起ＧがロックレバーＦに挿入されているので、ロック解除部材Ｒの中央部に設けた指掛け用凹部Ｈに指を掛けてバネＢに抗してロック解除部材Ｒを下動させればよい。
【００１０】
上記のように、両公報に記載されているいずれの容器においても、付勢手段は横リブに載置されているに過ぎないから、容器を落下させるなどして衝撃を与えると、図７において一点鎖線で示すように、前記付勢板やバネＢが横リブＣから外れてしまう。前記付勢板やバネＢが横リブＣから外れてしまうと、付勢力が解除されることになるから係合部材やロック解除部材Ｒが元の位置に戻らなくなる。ロック解除部材Ｒが元の位置に戻らないと、組み立てたときロック機能が働かなくなったりロック機能を解除できなくなり、組立式容器として使用することができなくなる。
【００１１】
この発明はかかる現況に鑑みてなされたもので、係合部材やロック解除部材の下面に突設したバネが外れない構造として、組立状態を保持することにより安全に使用することができる組立式合成樹脂製容器を提供せんとするものである。
【課題を解決するための手段】
【００１２】
この発明は上記目的を達成するために次のような構成とした。即ち、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができ、対向する一対の側板には組み立てたときの係合状態を解除する上下動可能な操作レバーを取り付けてなる組立式合成樹脂製容器であって、前記操作レバーは、操作部の両端部に係合部を設け、下面には側板に設けた横リブに載置され操作部を上方に付勢するバネを突設してなり、前記横リブの上面には水平方向にガイド溝を設けてなり、
前記ガイド溝の上面は上方に開口しているとともに、ガイド溝の両端部が横リブの上面に位置するように形成されており、
前記バネの下端部が前記ガイド溝の長さ方向に摺動するように上方から差し込まれていることを特徴とする。
【００１３】
ガイド溝は、横リブの上面外側にガイド板を垂直に突設し、前記ガイド板と側板外面との間に形成した隙間によって形成してなり、前記隙間の水平方向の両端部は横リブ上に開口している。また、ガイド溝は、横リブの上面に形成した溝であり、前記溝の上方からバネの下端部を差し込む構成としてもよい。ガイド溝の底面は、水平面に形成してもよいが、一部を傾斜面又は湾曲面に形成することが好ましい。
【発明の効果】
【００１４】
この発明は、上記説明から明らかなように、操作レバーの下面に設けたバネは外側がガイドされているから衝撃が加えられても外れることがなく、確実に組立状態を保持することができる。また、ガイド溝はガイド板を立設しまたはガイド溝を形成するという簡単な構造であるから金型も複雑な構造となることはない。さらに、バネの先端部はガイド溝によって保護されているから、バネが損傷することを防止することもできる。
【発明を実施するための最良の形態】
【００１５】
この発明に係る組立式合成樹脂製容器の概略を、図示する実施形態に基づいて説明する。組立式合成樹脂製容器１０は、方形状の底板１１と前記底板１１の端縁部に沿って配設された４つの側板１３、１３、１５、１５からなる。前記４つの側板のうち、側板１３は対向する短辺側の側板を形成し、側板１５，１５は、対向する長辺側の側板を形成している。前記側板１３及び側板１５は、底板１１の端縁部に設けられた回動軸１７，１
９によってそれぞれ回動自在に軸着している。
【００１６】
また、前記側板１３及び側板１５は、いずれか一方側の対になっている側板を先に内側に折り畳み、他方の対になっている側板を後から折り畳まれるが、後から折り畳む側板をほぼ水平に折り畳むことができるように、後から折り畳む側板の回動軸の位置を、先に折り畳まれる側板の回動軸よりも高い位置に配設されている。
【００１７】
即ち、図１の実施形態では、先に折り畳まれる側板を短辺側の側板１３とし、後から折り畳まれる側板を長辺側の側板１５とし、後から折り畳まれる長辺側の側板１５の回動軸１９は、高さ調整部２０の上部に配設されている。高さ調整部２０によって、後から折り畳まれる長辺側の側板１５を先に折り畳まれた短辺側の側板１３の上にほぼ水平に重ねることができる。
【００１８】
後から折り畳まれる長辺側の側板１５の両端部には、側板に対して直交するように内側に突出した突出部１５ａが設けられている。組立式合成樹脂製容器１０を組立てたとき、この突出部１５ａの内面に短辺側の側板１３の両端部外面が接合することによって、側板１３が外側へ回動するのを防止する。また、側板１５には後述するように、側板１３が内側に倒れるのを防止するように突出部１５ｂが設けられており、側板１３には前記突出部１５ｂと係合する係合部２５ａが設けられている。前記突出部１５ａと係合部２５ａによってロック部２３が形成されている。
【００１９】
ロック部の構成の一例について説明すると、ロック部２３は、一対の長辺側の側板１５の両側端部に設けられた突出部１５ｂと、短辺側の側板１３の上部に取り付けられた操作レバー２５の両端部の係合部２５ａとからなる。前記短辺側の側板１３を組み立てたとき、操作レバー２５の係合部２５ａが突出部１５ｂに当接し、さらに側板１３を起立させると突出部１５ｂの下方に押し下げられながら突出部１５ｂの裏面に回り，係合部２５ａが上方に復帰することによって突出部１５ｂと係合部２５ａとは係合することになり、ロック状態として組み立てられる。
【００２０】
前記短辺側の側板１３の両端部には、長辺側の側板１５の両側端部に設けられた突出部１５ｂが通過するように切欠２７が形成されており、前記切欠２７から操作レバー２５の係合部２５ａが突出するように配設されている。従って、組み立てるときは、短辺側の側板１３を起立させると突出部１５ｂに操作レバー２５の係合部２５ａが当接して押し下げられるから、裏面に回って突出部と係合することになる。係合状態においては、前記突出部１５ｂが切欠２７に嵌入している。
【００２１】
次に、操作レバー２５の構成について説明すると、操作レバー２５は、操作部２５ｂの両端部に係合部２５ａを突設してなり、下面には付勢力を与えるバネ２５ｃ、２５ｃを設けてなる。前記操作部２５ｂには、略中央部を凹ませて指掛け用凹部２５ｄを形成してなる。前記バネ２５ｃは、下端部が内側に向いた略くの字状に形成されており、操作部２５ｂの両端部と指掛け用凹部２５ｄとの間に設けられている。
【００２２】
前記バネ２５ｃの下端部は、ガイド溝３０に差し込まれている。前記ガイド溝３０は、図１〜図３に示すように、側板１３の外面に設けた横リブ１３ａの上面外側にガイド板３０ａを垂直に突設し、側板１３の凹面とガイド板３０ａとの間に形成した隙間３０ｂによって構成されている。ガイド溝３０はこの発明の特徴をなすものであって、前記バネ２５ｃの下端部は、横リブ１３ａの上面に載置されているとともに、隙間３０ｂに差し込まれている。
【００２３】
上記のように、バネ２５ｃの下端部は横リブ１３ａに載置されているだけではなく、ガイド板３０ａによってガイドされているから、容器が落下するなどによって衝撃を受けてもバネ２５ｃがガイド溝３０から不用意に外れることはない。また、指掛け用凹部２５ｄに指を掛けて操作部２５ｂを押し下げると、バネ２５ｃは下端部が横リブ１３ａ上を摺動しながら折り曲げられることになるが、ガイド板３０ａによってスムーズに摺動する。
【００２４】
図４は、ガイド溝３０の他の実施形態を示し、ガイド溝３０Ａ、３０Ｂは横リブ１３ａの上面にバネ２５ｃの下端を差し込む溝３１を形成することによって構成してなる。前記差込溝３１は、バネ２５ｃの下端部が不用意に外れることがない深さであって、バネ２５ｃの下端部が摺動するのに充分な長さに形成されている。図４(Ａ）のガイド溝３０Ａは溝底を水平に形成したフラット溝３１ａとしたが、図４(Ｂ）のガイド溝３０Ｂは溝底を湾曲面又は傾斜面に形成した湾曲溝３１ｂとした場合を示している。溝底を湾曲面又は傾斜面に形成した場合には、操作レバー２５の操作部２５ｂを押し下げたときに、バネ２５ｃの反発力が強くなり、操作部２５ｂの戻りがスムーズになる。
【００２５】
また、図５及び図６は、操作レバーの下面に設けるバネを対構造としたもので、図５はバネ２５ｃ、２５ｃの下端部を内側に向けて略逆ハの字状とした場合であり、図６はバネ２５ｃ、２５ｃの下端部を外側に向けて略ハの字状とした場合である。いずれの場合も、ロック部の構成は図２〜図４に示す場合と同様であるから、同一構成については同一符号を付してその説明は省略する。
【００２６】
尚、本発明の特徴は、操作レバー２５の下面に設けたバネが載置している横リブからバネが外れるのを防止する構造にあるから、長辺側の側板と短辺側の側板との組立状態を保持するロック部の構造については特に限定するものではなく、任意の構造とすることができる。
【図面の簡単な説明】
【００２７】
【図１】組立状態の容器の短辺側を示し、左半分が一部を省略した正面図、右半分が長辺側の側板を断面した一部を省略した断面図である。
【図２】操作レバーのバネとガイド溝を示す要部正面図である。
【図３】図２におけるＸ−Ｘ断面図である。
【図４】他の実施形態を示し、図４(Ａ)は、溝底を水平に形成したガイド溝の要部正面図、図４(Ｂ）は溝底を湾曲面又は傾斜面に形成したガイド溝の要部正面図である。
【図５】バネを逆ハの字状とした場合の正面図である。
【図６】バネをハの字状とした場合の正面図である。
【図７】従来の操作レバーの取り付けを示す要部正面図である。
【符号の説明】
【００２８】
１０：組立式合成樹脂製容器  
１１：方形状の底板  
１３：短辺側の側板
１５：長辺側の側板  
１７，１９：回動軸  
２０：高さ調整部  
２１：取っ手孔  
２３：ロック部  
２５：操作レバー  
２５ａ：係合部  
２５ｂ：操作部  
２５ｃ：バネ  
２５ｄ：指掛け用凹部 
２７：切欠  
３０：ガイド溝
【図１】
0005088649.tif 000002
【図２】
0005088649.tif 000003
【図３】
0005088649.tif 000004
【図４】
0005088649.tif 000005
【図５】
0005088649.tif 000006
【図６】
0005088649.tif 000007
【図７】
0005088649.tif 000008